(57)【要約】    【課題】      １の基地局装置と複数の通信端末装置とがＯＦＤＭ方式の無線通信を行うシステムにおいて、上りトラフィックの上限を超えない範囲で最も精度の高い報告値を使用すること。    【解決手段】  報告値データ量算出部１５１は、上りトラフィックの上限から現在の上り通信チャネルトラフィックの総計を減算して受信品質報告用に使用可能なトラフィック量を算出し、このトラフィック量に比例する、単位時間当たりに送信可能な報告値（受信品質情報）のデータ量を算出する。ブロック数設定部１５２は、報告値データ量、報告値１個当たりのビット数、ユーザ数に基づいてサブキャリアブロック数を設定する。スケジューリング部１５３は、ブロック数設定部１５２が設定した数のサブキャリアブロック毎に、受信品質情報に基づいてデータ送信先の通信端末装置を割り当て、通信端末装置毎に送信データの変調方式及び符号化率を決定する。  【選択図】      図１
2006211252.tif 000002
【特許請求の範囲】
【請求項１】
複数の通信端末装置とＯＦＤＭ方式の無線通信を行う基地局装置であって、
単位時間当たりに前記各通信端末装置から送信可能な報告値のデータ量である報告値データ量を算出する報告値データ量算出手段と、
前記報告値データ量、報告値１個当たりのビット数及びユーザ数に基づいてサブキャリアブロック数を設定するブロック数設定手段と、
前記ブロック数設定手段が設定した数のサブキャリアブロック毎に前記各通信端末装置が算出した受信品質平均値を示す受信品質情報を復調する復調手段と、
前記ブロック数設定手段が設定した数のサブキャリアブロック毎に、前記受信品質情報に基づいてリソース割当てを行うスケジューリング手段と、を具備する基地局装置。
【請求項２】
複数の通信端末装置とＯＦＤＭ方式の無線通信を行う基地局装置であって、
単位時間当たりに前記各通信端末装置から送信可能な報告値のデータ量である報告値データ量を算出する報告値データ量算出手段と、
前記報告値データ量、サブキャリアブロック数及びユーザ数に基づいて報告値１個当たりのビット数を設定する報告値ビット数設定手段と、
前記各通信端末装置がサブキャリアブロック毎に算出した受信品質平均値を示す情報であって、前記報告値ビット数設定手段が設定したビット数で生成された受信品質情報を復調する復調手段と、
サブキャリアブロック毎に前記受信品質情報に基づいてリソース割当てを行うスケジューリング手段と、を具備する基地局装置。
【請求項３】
複数の通信端末装置とＯＦＤＭ方式の無線通信を行う基地局装置であって、
単位時間当たりに前記各通信端末装置から送信可能な報告値のデータ量である報告値データ量を算出する報告値データ量算出手段と、
前記報告値データ量、サブキャリアブロック数、報告値１個当たりのビット数及びユーザ数に基づいて報告値の送信間隔を設定する送信間隔設定手段と、
前記各通信端末装置がサブキャリアブロック毎に算出した受信品質平均値を示す情報であって、前記送信間隔設定手段が設定した送信間隔で生成された受信品質情報を復調する復調手段と、
サブキャリアブロック毎に前記受信品質情報に基づいてリソース割当てを行うスケジューリング手段と、を具備する基地局装置。
【請求項４】
通信相手の基地局装置からサブキャリアブロック数を示す情報を受信して復調する受信手段と、
受信信号の受信品質をサブキャリア毎に測定する受信品質測定手段と、
前記基地局装置が設定した数のサブキャリアブロック毎に、前記サブキャリアの受信品質を平均化し、受信品質平均値を示す受信品質情報を生成する報告値生成手段と、
前記報告値生成手段が生成した受信品質情報を前記基地局装置に送信する送信手段と、を具備する通信端末装置。
【請求項５】
通信相手の基地局装置から報告値１個当たりのビット数を示す情報を受信して復調する受信手段と、
受信信号の受信品質をサブキャリア毎に測定する受信品質測定手段と、
サブキャリアブロック毎に前記サブキャリアの受信品質を平均化し、前記基地局装置が設定した報告値１個当たりのビット数で受信品質平均値を示す受信品質情報を生成する報告値生成手段と、
前記報告値生成手段が生成した受信品質情報を前記基地局装置に送信する送信手段と、を具備する通信端末装置。
【請求項６】
通信相手の基地局装置から報告値の送信間隔を示す情報を受信して復調する受信手段と、
受信信号の受信品質をサブキャリア毎に測定する受信品質測定手段と、
前記基地局装置が設定した送信間隔で、サブキャリアブロック毎に前記サブキャリアの受信品質を平均化し、受信品質平均値を示す受信品質情報を生成する報告値生成手段と、
前記報告値生成手段が生成した受信品質情報を前記基地局装置に送信する送信手段と、を具備する通信端末装置。
【請求項７】
１の基地局装置と複数の通信端末装置とがＯＦＤＭ方式の無線通信を行うシステムにおけるリソース割り当て方法であって、
前記基地局装置が、単位時間当たりに前記各通信端末装置から送信可能な報告値のデータ量である報告値データ量を算出する工程と、前記報告値データ量、報告値１個当たりのビット数及びユーザ数に基づいてサブキャリアブロック数を設定する工程と、設定したサブキャリアブロック数を示す情報を前記各通信端末装置に送信する工程と、を具備し、
前記各通信端末装置が、サブキャリア毎に受信品質を測定する工程と、前記基地局装置が設定した数のサブキャリアブロック毎に、前記サブキャリアの受信品質を平均化し、受信品質平均値を示す受信品質情報を生成する工程と、前記生成した受信品質情報を前記基地局装置に送信する工程と、を具備し、
前記基地局装置が、前記設定した数のサブキャリアブロック毎に、前記受信品質情報に基づいてデータ送信先の通信端末装置を割り当て、通信端末装置毎に送信データの変調方式及び符号化率を決定する工程と、を具備するリソース割り当て方法。
【請求項８】
１の基地局装置と複数の通信端末装置とがＯＦＤＭ方式の無線通信を行うシステムにおけるリソース割り当て方法であって、
前記基地局装置が、単位時間当たりに前記各通信端末装置から送信可能な報告値のデータ量である報告値データ量を算出する工程と、前記報告値データ量、サブキャリアブロック数及びユーザ数に基づいて報告値１個当たりのビット数を設定する工程と、設定した報告値１個当たりのビット数を示す情報を前記各通信端末装置に送信する工程と、を具備し、
前記各通信端末装置が、サブキャリア毎に受信品質を測定する工程と、前記サブキャリアの受信品質を平均化し、前記基地局装置が設定した報告値１個当たりのビット数で受信品質平均値を示す受信品質情報を生成する工程と、前記生成した受信品質情報を前記基地局装置に送信する工程と、を具備し、
前記基地局装置が、サブキャリアブロック毎に前記受信品質情報に基づいてデータ送信先の通信端末装置を割り当て、通信端末装置毎に送信データの変調方式及び符号化率を決定する工程と、を具備するリソース割り当て方法。
【請求項９】
１の基地局装置と複数の通信端末装置とがＯＦＤＭ方式の無線通信を行うシステムにおけるリソース割り当て方法であって、
前記基地局装置が、単位時間当たりに前記各通信端末装置から送信可能な報告値のデータ量である報告値データ量を算出する工程と、前記報告値データ量、サブキャリアブロック数、報告値１個当たりのビット数及びユーザ数に基づいて報告値の送信間隔を設定する工程と、設定した送信間隔を示す情報を前記各通信端末装置に送信する工程と、を具備し、
前記各通信端末装置が、サブキャリア毎に受信品質を測定する工程と、前記基地局装置が設定した送信間隔で前記サブキャリアの受信品質を平均化し、受信品質平均値を示す受信品質情報を生成する工程と、前記生成した受信品質情報を前記基地局装置に送信する工程と、を具備し、
前記基地局装置が、サブキャリアブロック毎に前記受信品質情報に基づいてデータ送信先の通信端末装置を割り当て、通信端末装置毎に送信データの変調方式及び符号化率を決定する工程と、を具備するリソース割り当て方法。
【発明の詳細な説明】
【技術分野】
【０００１】
本発明は、ＯＦＤＭ方式の無線通信に使用される基地局装置、通信端末装置及びリソース割り当て方法に関する。
【背景技術】
【０００２】
３ＧＰＰにて標準化されたＨＳＤＰＡ（High Speed Downlink Packet Access）では、通信端末装置がサブキャリア毎にＳＩＲ（希望波対干渉波比）等の受信品質を測定して基地局装置へ報告し、基地局装置が複数の通信端末装置から報告を受けた受信品質、通信端末装置のＱｏＳ（Quality Of Service）情報等に基づいて無線リソースを割り当てる。
【０００３】
ここで、ＣＤＭＡ方式で通信されるＨＳＤＰＡ方式をＯＦＤＭ方式を用いて高性能化する場合を考える。ＯＦＤＭ方式の無線通信の場合には周波数方向に数百から千程度のサブキャリアのリソースがあることから、この場合のリソース割り当てには、受信品質測定結果を示す報告値のデータ量が膨大になるという課題がある。特別な工夫をしない場合は、ＬサブキャリアをＭビットの情報で送信した場合は、Ｌ×Ｍビットが必要で、Ｎ人が１[ms]周期で送信するとＬ×Ｍ×Ｎ[kbps]と数十メガbpsのオーダとなり、通信回線を圧迫することになってしまう。
【０００４】
この課題を解決するものとして、従来からいくつかの提案がなされている。例えば、非特許文献１では、所定数のサブキャリアをまとめたサブキャリアブロックごとに受信品質の平均値を報告することにより報告の為のビット数を低減している。例えば、１０個のサブキャリアを１つのサブキャリアブロックとしてまとめると、報告値のデータ量を１０分の１に削減することができる。
【０００５】
ただし、サブキャリアブロック中の各サブキャリアの受信品質にはばらつきがあることから、サブキャリアブロックごとに受信品質の平均値を報告すると、サブキャリア毎に受信品質を報告する場合に比べて精度が悪くなる。
【０００６】
また、下り回線で通信を行う通信端末装置の数が少ない等、上り回線のトラフィック量が少ない場合には、上り回線で使用する通信チャネルに余裕があり、各通信端末装置がサブキャリア毎に受信品質を報告しても、通信回線を圧迫しない。
【非特許文献１】（ＲＣＳ２６）  周波数スケジューリングを用いたＭＣ−ＣＤＭＡシステム  原 嘉孝・川端 孝史・段 勁松・関口 高志 （三菱電機）
【発明の開示】
【発明が解決しようとする課題】
【０００７】
しかしながら、上記非特許文献１の方法では、上り回線のトラフィック量を考慮せず、常に所定数のサブキャリアをまとめたサブキャリアブロックごとに受信品質の平均値を報告しているので、上り回線で使用する通信チャネルに余裕がある場合でも精度が悪い報告値に基づいてリソース割り当てを行い、スループットが低下してしまうという問題がある。
【０００８】
本発明はかかる点に鑑みてなされたものであり、上りトラフィックの上限を超えない範囲で最も精度の高い報告値を使用して下り回線の通信を行うことができる基地局装置、通信端末装置及びリソース割り当て方法を提供することを目的とする。
【課題を解決するための手段】
【０００９】
かかる課題を解決するため、本発明の基地局装置は、複数の通信端末装置とＯＦＤＭ方式の無線通信を行う基地局装置であって、単位時間当たりに前記各通信端末装置から送信可能な報告値のデータ量である報告値データ量を算出する報告値データ量算出手段と、前記報告値データ量、報告値１個当たりのビット数及びユーザ数に基づいてサブキャリアブロック数を設定するブロック数設定手段と、前記ブロック数設定手段が設定した数のサブキャリアブロック毎に前記各通信端末装置が算出した受信品質平均値を示す受信品質情報を復調する復調手段と、前記ブロック数設定手段が設定した数のサブキャリアブロック毎に、前記受信品質情報に基づいてリソース割当てを行うスケジューリング手段と、を具備する構成を採る。
【００１０】
本発明の通信端末装置は、通信相手の基地局装置からサブキャリアブロック数を示す情報を受信して復調する受信手段と、受信信号の受信品質をサブキャリア毎に測定する受信品質測定手段と、前記基地局装置が設定した数のサブキャリアブロック毎に、前記サブキャリアの受信品質を平均化し、受信品質平均値を示す受信品質情報を生成する報告値生成手段と、前記報告値生成手段が生成した受信品質情報を前記基地局装置に送信する送信手段と、を具備する構成を採る。
【００１１】
本発明のリソース割り当て方法は、１の基地局装置と複数の通信端末装置とがＯＦＤＭ方式の無線通信を行うシステムにおけるリソース割り当て方法であって、前記基地局装置が、単位時間当たりに前記各通信端末装置から送信可能な報告値のデータ量である報告値データ量を算出する工程と、前記報告値データ量、報告値１個当たりのビット数及びユーザ数に基づいてサブキャリアブロック数を設定する工程と、設定したサブキャリアブロック数を示す情報を前記各通信端末装置に送信する工程と、を具備し、前記各通信端末装置が、サブキャリア毎に受信品質を測定する工程と、前記基地局装置が設定した数のサブキャリアブロック毎に、前記サブキャリアの受信品質を平均化し、受信品質平均値を示す受信品質情報を生成する工程と、前記生成した受信品質情報を前記基地局装置に送信する工程と、を具備し、前記基地局装置が、前記設定した数のサブキャリアブロック毎に、前記受信品質情報に基づいてデータ送信先の通信端末装置を割り当て、通信端末装置毎に送信データの変調方式及び符号化率を決定する工程と、を具備する方法を採る。
【発明の効果】
【００１２】
本発明によれば、通信端末装置間の品質の比較が可能となるので、受信品質の報告の為のビット数を低減し、かつ、全てのサブキャリアに対して通信端末装置を割り当てることができる。
【発明を実施するための最良の形態】
【００１３】
以下、本発明の実施の形態について図面を参照して詳細に説明する。
【００１４】
（実施の形態１）
まず、本発明の実施の形態１に係る基地局装置の構成について図１のブロック図を用いて説明する。図１の基地局装置１００は、複数の通信端末装置と同時に無線通信を行う。各通信端末装置は、サブキャリア毎に受信品質を測定し、基地局装置１００から指示された数のサブキャリアブロック毎に受信品質を平均化し、各サブキャリアブロックの受信品質平均値を示す情報（以下、「受信品質情報」という）を基地局装置１００に報告する。
【００１５】
共用器１０２は、アンテナ１０１に受信された信号を無線受信部１０３に出力する。また、共用器１０２は、無線送信部１５９から出力された信号をアンテナ１０１から無線送信する。
【００１６】
無線受信部１０３は、共用器１０２から出力された無線周波数の受信信号をベースバンド信号に変換してＦＦＴ部１０４に出力する。ＦＦＴ部１０４は、受信ベースバンド信号に対してフーリエ変換を行い、フーリエ変換後の信号を復調部１０５に出力する。
【００１７】
復調部１０５は、無線通信を行う通信端末装置の数だけ用意され、フーリエ変換後の受信ベースバンド信号に対して復調、誤り訂正復号等の処理を行い、受信データを得る。また、復調部１０５は、受信信号に含まれる受信品質情報を分離し、スケジューリング部１５３に出力する。
【００１８】
報告値データ量算出部１５１は、上りトラフィックの上限から現在の上り通信チャネルトラフィックの総計を減算して受信品質報告用に使用可能なトラフィック量を算出し、このトラフィック量に比例する、単位時間当たりに送信可能な報告値（受信品質情報）のデータ量（以下、「報告値データ量」という）Ｘを算出し、これをブロック数設定部１５２に出力する。
【００１９】
ブロック数設定部１５２は、報告値１個当たりのビット数Ｍを予め記憶し、報告値データ量Ｘ及び下り回線で通信中の通信端末装置の数（ユーザ数）Ｎを入力し、以下の式（１）によりサブキャリアブロック数Ｂを設定する。そして、ブロック数設定部１５２は、設定したサブキャリアブロック数を示す情報（以下、「ブロック数情報」という）をスケジューリング部１５３及び変調部１５５に出力する。
Ｂ＝Ｘ／（Ｍ×Ｎ）      ・・・（１）
【００２０】
スケジューリング部１５３は、受信品質情報及びブロック数情報に基づいて、サブキャリアブロック毎にデータ送信先の通信端末装置を割り当て、通信端末装置毎に送信データの変調方式及び符号化率を決定する（リソース割り当て）。
【００２１】
なお、変調方式及び符号化率の決定方法の一例として以下のものがある。まず、変調方式及び符号化率をパラメータとして受信ＳＩＲ対誤り率特性を測定し、所望の誤り率を実現するＳＩＲと変調方式及び符号化率のテーブルを用意する。通信中は、受信ＳＩＲを測定し、それに対応する変調方式及び符号化率を選択する。
【００２２】
スケジューリング部１５３は、リソース割り当てを行った後、通信端末装置毎に、データ送信に用いるサブキャリア、変調方式及び符号化率を示す情報（以下、「割り当て情報」という）を変調部１５６に出力する。また、スケジューリング部１５３は、変調方式及び符号化率を変調部１５４に指示し、多重部１５７に入力される信号の多重の順番を多重部１５７に指示する。
【００２３】
変調部１５４は、無線通信を行う通信端末装置の数だけ用意され、スケジューリング部１５３の指示に従って、各通信端末装置への送信データに対して誤り訂正符号化、変調を行って多重部１５７に出力する。変調部１５５は、ブロック数情報に対して誤り訂正符号化、変調を行って多重部１５７に出力する。変調部１５６は、割り当て情報に対して誤り訂正符号化、変調を行って多重部１５７に出力する。
【００２４】
多重部１５７は、スケジューリング部１５３の指示に従って、変調部１５４、変調部１５５及び変調部１５６の各出力信号を多重し、ＩＦＦＴ部１５８に出力する。
【００２５】
ＩＦＦＴ部１５８は、多重部１５７の出力信号に対して逆フーリエ変換を行い、逆フーリエ変換後の信号を無線送信部１５９に出力する。無線送信部１５９は、ＩＦＦＴ部１５８から出力されたベースバンド信号を無線周波数の信号に変換して共用器１０２に出力する。
【００２６】
次に、本実施の形態に係る通信端末装置の構成について図２のブロック図を用いて説明する。図２の通信端末装置２００は、図１に示した基地局装置１００と無線通信を行い、割り当て情報、ブロック数情報を含む無線信号を受信する。
【００２７】
共用器２０２は、アンテナ２０１に受信された信号を無線受信部２０３に出力する。また、共用器２０２は、無線送信部２５５から出力された信号をアンテナ２０１から無線送信する。
【００２８】
無線受信部２０３は、共用器２０２から出力された無線周波数の受信信号をベースバンド信号に変換してＦＦＴ部２０４に出力する。ＦＦＴ部２０４は、受信ベースバンド信号に対してフーリエ変換を行い、フーリエ変換後の、割り当て情報に示されたサブキャリアの信号を復調部２０５に出力する。
【００２９】
復調部２０５は、フーリエ変換後の受信ベースバンド信号に対して復調、誤り訂正復号等の処理を行い、受信データを得る。また、復調部２０５は、受信信号に含まれる割り当て情報を分離し、ＦＦＴ部２０４に出力する。また、復調部２０５は、受信信号に含まれるブロック数情報を分離し、報告値生成部２０７に出力する。また、復調部２０５は、復調処理の過程で得られる希望波電力、干渉波電力等の受信品質測定に必要な情報を受信品質測定部２０６に出力する。
【００３０】
受信品質測定部２０６は、復調部２０５から出力された情報に基づいて受信品質をサブキャリア毎に測定し、測定した受信品質を示す情報を報告値生成部２０７に出力する。
【００３１】
報告値生成部２０７は、ブロック数情報によって示される数に応じて複数のサブキャリアをサブキャリアブロックにまとめ、受信品質測定部２０６にて測定された受信品質をサブキャリアブロック毎に平均化し、各サブキャリアブロックの受信品質平均値を示す受信品質情報を生成する。例えば、通信端末装置が、周波数が低いサブキャリアから順にサブキャリア＃１からサブキャリア＃１００までの１００本のサブキャリアを用いて通信し、ブロック数情報によって示されるサブキャリアブロックの数が「１０」である場合、報告値生成部２０７は、サブキャリア＃１からサブキャリア＃１０の受信品質を平均化してサブキャリアブロック＃１の受信品質平均値を得る。同様に、サブキャリア＃（１０×ｎ−９）からサブキャリア＃（１０×ｎ）の受信品質を平均化してサブキャリアブロック＃ｎの受信品質平均値を得る（ｎは１から１０までの自然数）。報告値生成部２０７は、生成した受信品質情報を変調部２５２に出力する。なお、サブキャリア数がブロック数情報によって示されるサブキャリアブロック数以下である場合には、報告値生成部２０７は、平均化を行わず、各サブキャリアの受信品質を示す受信品質情報を生成する。
【００３２】
変調部２５１は、基地局装置１００に送信するデータに対して誤り訂正符号化、変調を行って多重部２５３に出力する。変調部２５２は、受信品質情報に対して誤り訂正符号化、変調を行って多重部２５３に出力する。
【００３３】
多重部２５３は、変調部２５１及び変調部２５２の出力信号を多重し、ＩＦＦＴ２５４に出力する。ＩＦＦＴ部２５４は、多重部２５３の出力信号に対して逆フーリエ変換を行い、逆フーリエ変換後の信号を無線送信部２５５に出力する。無線送信部２５５は、ＩＦＦＴ部２５４から出力されたベースバンド信号を無線周波数の信号に変換して共用器２０２に出力する。
【００３４】
次に、本実施の形態に係る基地局装置及び通信端末装置の動作順序について図３のシーケンス図を用いて説明する。なお、図３では、基地局装置（ＢＴＳ）が、２つの通信端末装置（ＭＳ＃１、ＭＳ＃２）と同時に通信を行っているものする。
【００３５】
まず、基地局装置は、報告値１個当たりのビット数、報告値データ量及びユーザ数に基づいてサブキャリアブロック数を設定し（Ｓ３０１）、設定したサブキャリアブロック数を示すブロック数情報を各通信端末装置に送信する（Ｓ３０２）。
【００３６】
各通信端末装置は、受信品質を測定し（Ｓ３０３）、受信したブロック数情報に示される数のサブキャリアブロック毎に受信品質を平均化し（Ｓ３０４）、各サブキャリアブロックの受信品質平均値を示す受信品質情報を基地局装置に送信する（Ｓ３０５）。
【００３７】
基地局装置は、ブロック数情報に示される数のサブキャリアブロック毎に、各通信端末装置から受信した受信品質情報に基づいてリソース割り当てを行い（Ｓ３０６）、リソース割り当て結果を示す割り当て情報を各通信端末装置に送信し（Ｓ３０７）、リソース割り当てによって決定したサブキャリアを用いて各通信端末装置にデータを送信する（Ｓ３０８、Ｓ３０９）。
【００３８】
各通信端末装置は、受信信号に対して、割り当て情報に示されたサブキャリアについてフーリエ変換を行い、受信データを得る（Ｓ３１０）。
【００３９】
このように、本実施の形態によれば、報告値データ量、報告値１個当たりのビット数及びユーザ数に基づいてサブキャリアブロック数を制御することができるので、上りトラフィックの上限を超えない範囲で最も精度の高い報告値を使用して下り回線の通信を行うことができる。
【００４０】
（実施の形態２）
上記実施の形態１では、報告値１個当たりのビット数を固定し、サブキャリアブロック数を制御する場合について説明したが、本発明の実施の形態２では、サブキャリアブロック数を固定し、報告値１個当たりのビット数を制御する場合について説明する。
【００４１】
図４は、本実施の形態に係る基地局装置の構成を示すブロック図である。なお、図４の基地局装置４００において、図１に示した基地局装置１００と共通する構成には、図１と同一の符号を付し、説明を省略する。図４の基地局装置４００は、図１に示した基地局装置１００と比較して、ブロック数設定部１５２を削除し、報告値ビット数設定部４５２を追加する構成を採る。
【００４２】
図４の基地局装置４００は、複数の通信端末装置と同時に無線通信を行う。各通信端末装置は、サブキャリア毎に受信品質を測定し、サブキャリアブロック毎に受信品質を平均化し、各サブキャリアブロックの受信品質平均値を示す情報（以下、「受信品質情報」という）を、基地局装置４００から指示されたビット数で生成して基地局装置４００に報告する。
【００４３】
報告値データ量算出部１５１は、実施の形態１と同様に報告値データ量Ｘを算出し、これを報告値ビット数設定部４５２に出力する。
【００４４】
報告値ビット数設定部４５２は、サブキャリアブロック数Ｂを予め記憶し、報告値データ量Ｘ及び下り回線で通信中の通信端末装置の数（ユーザ数）Ｎを入力し、以下の式（２）により報告値１個当たりのビット数Ｍを設定する。そして、報告値ビット数設定部４５２は、設定した報告値１個当たりのビット数を示す情報（以下、「報告値ビット数情報」という）をスケジューリング部１５３及び変調部１５５に出力する。
Ｍ＝Ｘ／（Ｂ×Ｎ）      ・・・（２）
【００４５】
スケジューリング部１５３は、報告値ビット数情報に示されるビット数で生成された受信品質情報に基づいて、サブキャリアブロック毎にデータ送信先の通信端末装置を割り当て、通信端末装置毎に送信データの変調方式及び符号化率を決定する（リソース割り当て）。
【００４６】
変調部１５５は、報告値ビット数情報に対して誤り訂正符号化、変調を行って多重部１５７に出力する。
【００４７】
図５は、本実施の形態に係る通信端末装置の構成を示すブロック図である。なお、図５の通信端末装置５００において、図２に示した通信端末装置２００と共通する構成には、図２と同一の符号を付し、説明を省略する。図５の通信端末装置５００は、報告値生成部５０７の作用が、図２の通信端末装置２００の報告値生成部２０７のものと異なる。
【００４８】
復調部２０５は、受信信号に含まれる報告値ビット数情報を分離し、報告値生成部５０７に出力する。
【００４９】
報告値生成部５０７は、複数のサブキャリアをサブキャリアブロックにまとめ、受信品質測定部２０６にて測定された受信品質をサブキャリアブロック毎に平均化する。そして、報告値生成部５０７は、各サブキャリアブロックの受信品質平均値を示す受信品質情報を、報告値ビット数情報によって示されるビット数で生成する。報告値生成部５０７は、生成した受信品質情報を変調部２５２に出力する。
【００５０】
このように、本実施の形態によれば、報告値データ量、サブキャリアブロック数及びユーザ数に基づいて報告値１個当たりのビット数を制御することができるので、上りトラフィックの上限を超えない範囲で最も精度の高い報告値を使用して下り回線で通信を行うことができる。
【００５１】
（実施の形態３）
本発明の実施の形態３では、サブキャリアブロック数及び報告値１個当たりのビット数を固定とし、通信端末装置が報告値を送信する間隔を制御する場合について説明する。
【００５２】
図６は、本実施の形態に係る基地局装置の構成を示すブロック図である。なお、図６の基地局装置６００において、図１に示した基地局装置１００と共通する構成には、図１と同一の符号を付し、説明を省略する。図６の基地局装置６００は、図１に示した基地局装置１００と比較して、ブロック数設定部１５２を削除し、送信間隔設定部６５２を追加する構成を採る。
【００５３】
図６の基地局装置６００は、複数の通信端末装置と同時に無線通信を行う。各通信端末装置は、サブキャリア毎に受信品質を測定し、サブキャリアブロック毎に受信品質を平均化し、各サブキャリアブロックの受信品質平均値を示す情報（以下、「受信品質情報」という）を、基地局装置６００から指示された送信間隔で基地局装置６００に報告する。
【００５４】
報告値データ量算出部１５１は、実施の形態１と同様に報告値データ量Ｘを算出し、これを送信間隔設定部６５２に出力する。
【００５５】
送信間隔設定部６５２は、サブキャリアブロック数Ｂ及び報告値１個当たりのビット数Ｍを予め記憶し、報告値データ量Ｘ及び下り回線で通信中の通信端末装置の数（ユーザ数）Ｎを入力し、以下の式（３）により送信間隔Ｔを設定する。そして、送信間隔設定部６５２は、設定した送信間隔を示す情報（以下、「送信間隔情報」という）をスケジューリング部１５３及び変調部１５５に出力する。
Ｔ＝（Ｂ×Ｍ×Ｎ）／Ｘ・・・（３）
【００５６】
スケジューリング部１５３は、送信間隔情報に示される間隔で通信端末装置から送信される受信品質情報に基づいて、サブキャリアブロック毎にデータ送信先の通信端末装置を割り当て、通信端末装置毎に送信データの変調方式及び符号化率を決定する（リソース割り当て）。
【００５７】
変調部１５５は、送信間隔情報に対して誤り訂正符号化、変調を行って多重部１５７に出力する。
【００５８】
図７は、本実施の形態に係る通信端末装置の構成を示すブロック図である。なお、図７の通信端末装置７００において、図２に示した通信端末装置２００と共通する構成には、図２と同一の符号を付し、説明を省略する。図７の通信端末装置７００は、報告値生成部７０７の作用が、図２の通信端末装置２００の報告値生成部２０７のものと異なる。
【００５９】
復調部２０５は、受信信号に含まれる送信間隔情報を分離し、報告値生成部７０７に出力する。
【００６０】
報告値生成部７０７は、送信間隔情報によって示される送信間隔で、複数のサブキャリアをサブキャリアブロックにまとめ、受信品質測定部２０６にて測定された受信品質をサブキャリアブロック毎に平均化する。そして、報告値生成部７０７は、各サブキャリアブロックの受信品質平均値を示す受信品質情報を生成する。報告値生成部７０７は、生成した受信品質情報を変調部２５２に出力する。
【００６１】
このように、本実施の形態によれば、報告値データ量、サブキャリアブロック数、報告値１個当たりのビット数及びユーザ数に基づいて報告値の送信間隔を制御することができるので、上りトラフィックの上限を超えない範囲で最も精度の高い報告値を使用して下り回線の通信を行うことができる。
【産業上の利用可能性】
【００６２】
本発明は、ＯＦＤＭ方式の無線通信を行う基地局装置、通信端末装置に用いるに好適である。
【図面の簡単な説明】
【００６３】
【図１】本発明の実施の形態１に係る基地局装置の構成を示すブロック図
【図２】上記実施の形態に係る通信端末装置の構成を示すブロック図
【図３】上記実施の形態に係る基地局装置及び通信端末装置の動作順序を示すシーケンス図
【図４】本発明の実施の形態２に係る基地局装置の構成を示すブロック図
【図５】上記実施の形態に係る通信端末装置の構成を示すブロック図
【図６】本発明の実施の形態３に係る基地局装置の構成を示すブロック図
【図７】上記実施の形態に係る通信端末装置の構成を示すブロック図
【符号の説明】
【００６４】
１００、４００、６００  基地局装置
１０４  ＦＦＴ部
１０５  復調部
１５１  報告値データ量算出部
１５２  ブロック数設定部
１５３  スケジューリング部
１５４、１５５、１５６  変調部
１５７  多重部
１５８  ＩＦＦＴ部
２００、５００、７００  通信端末装置
２０４  ＦＦＴ部
２０５  復調部
２０６  受信品質測定部
２０７、５０７、７０７  報告値生成部
２５１、２５２  変調部
２５３  多重部
２５４  ＩＦＦＴ部
４５２  報告値ビット数設定部
６５２  送信間隔設定部
【図１】
2006211252.tif 000003
【図２】
2006211252.tif 000004
【図３】
2006211252.tif 000005
【図４】
2006211252.tif 000006
【図５】
2006211252.tif 000007
【図６】
2006211252.tif 000008
【図７】
2006211252.tif 000009